(57)【要約】【課題】ハワイアン音楽の演奏に用いられるスチールギターは、その調弦方式が多数提案されている。バーと呼ばれる金属の直線状棒で弦を押さえることによる演奏のため、発音の自由度が少なく、曲目により又は演奏者により調弦方式が異なるためである。その解決策として多数の調弦方式、ダブルネック方式スチールギター、ペダル方式スチールギターなどが実用化されている。そこで、最も普及している一般的なシングルネック方式スチールギターを簡単な方法でワンタッチで調弦が変更できれば、更に演奏の幅が広がる。【解決手段】偏芯カムを弦にあて、これを回転することにより、弦の張力を調節して調弦を変更することを可能とする方法を発明した。実際には、偏芯カムを含む装置をネックと糸巻き部の間に設置し、弦の張力を調節する方式とし、演奏に邪魔にならない場所、大きさに収め、ワンタッチで調弦を変更可能とした。【選択図】図５
2005091710.tif 000002
【特許請求の範囲】
【請求項１】
偏芯カムを有し、その外周がスチールギターの弦に接する構造の調弦装置において、該接する部分を、スチールギターのネックと糸巻き部の間に設置することを特徴とするスチールギター用調弦装置。
【請求項２】
偏芯カムの偏芯量は、調弦されたスチールギターにおいて半音階以上可変可能とするように設定したことを特徴とする請求項１記載のスチールギター用調弦装置。
【請求項３】
請求項１及び請求項２記載の機能を搭載した台をスチールギターの糸巻き部の金属部にネジまたは磁石にて固定することを特徴とするスチールギター用調弦装置。
【発明の詳細な説明】
【技術分野】
【０００１】
本発明は、音楽の演奏に用いられる楽器の内、特にスチールギターと呼ばれる弦楽器の調弦に関し、簡単に調弦を変更することを可能とする方法に関するものである。
【背景技術】
【０００２】
ハワイアン音楽では、特徴的な楽器としてスチールギターがある。これは、本体に金属製の弦を６ないし８本程度張り、バーと呼ばれる金属製の棒を弦に押し当てて必要な音階を得る演奏方法で音を発するものである。
このとき、弦の張り方は多数の方法が提案されており、演奏者によって独特の方法を採用することが多い。
【０００３】
この最大の理由は、バーが直線状の金属棒であり、各弦に対しては多数の弦を同時に発音するとき自由度が無く、演奏しようとする曲目の構成音と多数の弦の調弦とが合理的に調和することが演奏上求められ、このとき演奏者の表現方法が目的と一致することになる。
【０００４】
ところが曲目は多岐にわたり、表現内容も一様ではない。従って調弦方法も本来は曲目によって変更しなければならない。
通常はシングルネックの単純な形状のスチールギターが一般的であるため、調弦はいずれかの調弦に固定される。そのため、多様な曲目に対応するために長年にわたり研究され各種の調弦方法が考案されてきたのである。演奏者はそれらの中から自分の好みの方法を選択することになる。この様な事情はスチールギター特有のものであり、他の楽器、例えばバイオリン、マンドリン、ギター、などの弦楽器とは異なる条件である。これらの弦楽器は弦を指で指板に直接押さえるため、自由度が大きい。従って調弦方法も指で押さえるために合理的な方法に標準化されている。
そこでスチールギターの調弦としてはいくつかの方法が提案され、多数の調弦方法を実現する方法には次のようなものがある。
その代表的なものは、ペダル方式であり、またはダブルネック方式である。
ペダル方式とは、予め定められたいくつかの調弦方式の中から足踏み装置により選択できるようになっており、調弦の自由度は非常に大きい。ただしそのための仕組みは複雑であり当然装置も大きく、価格も高価である。
ダブルネック方式は２台のスチールギターを並べて接続したもので、２種類の調弦を予め用意しておき、必要に応じて演奏することができる。この方式はペダル方式ほどではないが大きさも、価格も中間的になるのは止むを得ない。
【発明の開示】
【発明が解決しようとする課題】
【０００５】
以上説明したように、演奏曲目により調弦を変更したいことが多いが、従来のシングルネック方式スチールギターでは、時間をかけて調弦を変更するか、ダブルネック方式のスチールギターを使用するか、またはペダル方式スチールギターを使用するかのいずれかを選択する以外に方法が無かった。
演奏会などの場合には、すばやく調弦を変更する必要がある。
望ましいのはシングルネック方式スチールギターが簡単に、ワンタッチで調弦を変更できることである。
【０００６】
具体的に調弦の変更内容を検討する。曲目には大別すると、長調の曲および短調の曲がある。短調の曲に便利な内容に調弦してあるスチールギターで長調の曲を演奏するのは不可能ではないが、かなり高度の技術を必要とし、一般的ではなかった。
特に和音を表現しようとすると、殆ど不可能なことも多かった。
その反対に長調に調弦してあるスチールギターで短調の曲を演奏するのは更に困難であった。現在代表的な調弦方法は、次のようになっている。
【０００７】
例として６弦Am方式（イ短調）とする。このときは１弦はE（ホ）、２弦はC（ハ）、３弦はA（イ）、４弦はE（ホ）、５弦はC（ハ）、６弦はA（イ）となっている。
この調弦方法は、短調の曲目を演奏する場合には都合がよくなっているが、長調の曲目には適当ではない。これを長調の調弦にするには、２弦と５弦を半音上げて、C♯（ハ♯）とすればよい。これにより調弦はA方式（イ長調）となる。
つまり、６弦の内、２弦を半音階上げることが必要である。
【課題を解決するための手段】
【０００８】
本発明は、上記に鑑み研究の結果次の手段によりこの問題を解決した。
（１）偏芯カムを有し、その外周がスチールギターの弦に接する構造の調弦装置において、該接する部分を、スチールギターのネックと糸巻き部の間に設置するように設定したことを特徴とするスチールギター用調弦装置。
（２）偏芯カムの偏芯量は、調弦されたスチールギターにおいて半音階以上可変可能とするように設定したことを特徴とする（１）記載のスチールギター用調弦装置。
（３）上記（１）及び（２）の機能を搭載した台をスチールギターの糸巻き部の金属部にネジまたは磁石にて固定することを特徴とするスチールギター用調弦装置。
【発明の効果】
【０００９】
本発明によれば次のような効果がある。
最も一般的に用いられているスチールギターをワンタッチにて調弦を変更し、演奏曲目に合わせて、複数の調弦方式を選択できる。この結果、高価で大型のダブルネック方式スチールギターや、ペダル方式スチールギターを使用しないでもこれらと同等の効果を得ることができるようになった。その結果演奏が楽になり、効果的な発音が可能となってますます音楽活動が盛んになることが期待される。
【発明を実施するための最良の形態】
【００１０】
本発明の実施の形態を図に基づいて説明する。図１は、スチールギターの全体の構造を示すものである。本体１に対してブリッジ２、ネック３を設け、これらの間に弦５を張る。
演奏用の音階は、ブリッジ２とネック３の間にバーを押し当てて弦を弾いて発音する。
糸巻き４は弦５の先端を巻き取り、弦５が必要な振動数となるように張力を与える。
ブリッジ２とネック３の間の弦が振動するとき、その振動数は、その距離、弦の単位長当たりの重量、弦の張力によって決定される。ブリッジ２とブリッジ３との距離はおよそ５０ｃｍないし６０ｃｍ程度の大きさである。
【００１１】
図２は、スチールギターを上から見たものである。弦５は、先端が糸巻き４によって巻き取られ、ネック３との間に１０ｃｍ程度の距離がある。
本発明では、糸巻き４とネック３との間の弦に梃子の動作により圧力を加え、弦の張力を高くすることにより、振動数を半音階高く調節することを可能とするものである。
梃子の構造には各種の方法があり、実施例を次に示す。
【実施例１】
【００１２】
図３はスチールギターの先端部分を示すものである。
偏芯カム６を設け、最も偏芯が小さい部分のときに必要な第一の調弦を行い例えばC（ハ）に合わせる。この状態で偏芯カム６を回転して、偏芯カム７とすると弦８が押されて弦９の状態になる。実測によると、この変化量は数ｍｍ程度で半音階の変化が得られる。
この図では偏芯カム６，７の回転軸を固定する部分が必要であるが、カムの本質部分とは関係ないので省略してある。
【実施例２】
【００１３】
図４は別の実施例である。ネジ１０の押し圧を利用して弦８を数ｍｍ押し下げる。
ネジ１１は押し下げた状態であり、このとき弦８は弦９の状態になる。ネジ１０の位置を固定するためのナット部が必要であるが、動作の原理を説明するため簡単のため省略してある。ネジ１０のピッチは、少し荒めのほうが調弦のために便利である。また、ネジ１０の先端が弦８から外れないように金具等があったほうがよい。これらに関しては少し工夫が必要であるが、発明の本質とは関係ないので詳細は省略する。
【実施例３】
【００１４】
図５は本発明を実施するための具体的な構造を記載したものである。
本発明による調弦を変更するための装置を台１２に組み立て、これをスチールギター糸巻き部の金具１に固定する。糸巻き部は強度の点から、鉄製の部品でできていることが多い。
台１２には、ネジ部１６，１７がありこれにより糸巻き部に固定する。または最近の磁石は小型でも強力なものがあるので、これを台１２の穴１６，１７に埋め込んで置けば、糸巻き部の金属台に吸着し固定される。
【００１５】
台１２には、偏芯カムの回転軸１５が固定され、これに対して偏芯カム６がレバー１３により回転する。レバー１３をレバー１４に位置まで回転すると、弦８が弦9の状態になり、調弦が変更される。調弦の微調整はレバー１３の位置により可能である。
本説明では、１本の弦について説明したが、同様の方法で３乃至４本は可能である。
【図面の簡単な説明】
【００１６】
【図１】スチールギターを横から見た図
【図２】スチールギターを上から見た図
【図３】実施例１
【図４】実施例２
【図５】具体的な構造を説明する図
【符号の説明】
【００１７】
１：スチールギターの本体
２：ブリッジ
３：ネック
４：糸巻き
５：弦
６：偏芯カム
７：回転した偏芯カム
８：弦
９：偏芯カムで押し下げられた弦
１０：ネジ
１１：押し下げたネジ
１２：台
１３：レバー
１４：回転したレバー
１５：回転軸
１６：台取り付け用穴
１７：台取り付け用穴
【図１】
2005091710.tif 000003
【図２】
2005091710.tif 000004
【図３】
2005091710.tif 000005
【図４】
2005091710.tif 000006
【図５】
2005091710.tif 000007